(57)【要約】【課題】  直管形ＬＥＤランプの熱膨張によるソケットの破損が防止される照明器具を提供する。【解決手段】  複数個の発光ダイオードを保持した円柱形状の本体部の軸方向の両端にそれぞれ口金を有する直管形ＬＥＤランプが取り付けられる。それぞれ１個ずつの口金が接続される２個のソケット３と、各ソケット３をそれぞれ保持する器具本体とを備える。少なくとも一方のソケット３は、器具本体に固定されるホルダ５に対し、他方のソケット３との間の距離を変化させる方向（図での左右方向）に変位可能に保持されている。直管形ＬＥＤランプの熱膨張が、ホルダ５に対するソケット３の変位により吸収されるから、ソケット３の破損が防止される。【選択図】図１
2014216258.tif 000002
【特許請求の範囲】
【請求項１】
複数個の発光ダイオードを保持した円柱形状の本体部の軸方向の両端にそれぞれ口金を有する直管形ＬＥＤランプが取り付けられる照明器具であって、
それぞれ１個ずつの前記口金が接続される２個のソケットと、
各前記ソケットをそれぞれ保持する器具本体とを備え、
少なくとも一方の前記ソケットは、前記器具本体に対し、他方の前記ソケットとの間の距離を変化させる方向に変位可能とされていることを特徴とする照明器具。
【請求項２】
前記器具本体に対して固定され、一方の前記ソケットを、他方の前記ソケットとの間の距離を変化させる方向に変位可能に保持するホルダを備えることを特徴とする請求項１記載の照明器具。
【発明の詳細な説明】
【技術分野】
【０００１】
本発明は、照明器具に関するものである。
【背景技術】
【０００２】
従来から、直管形ＬＥＤランプを接続して用いられる照明器具が提供されている（例えば、特許文献１参照）。
【０００３】
上記の直管形ＬＥＤランプは、発光ダイオードアレイを保持した円柱形状の本体部と、本体部の軸方向の両端部にそれぞれ設けられた口金とを備える。一方の口金には、発光ダイオードアレイに電気的に接続された複数個の給電端子が設けられる。
【０００４】
また、従来の照明器具は、一方ずつの口金に接続される２個のソケットと、各ソケットがそれぞれ固定された器具本体とを備える。
【先行技術文献】
【特許文献】
【０００５】
【特許文献１】特開２０１３−２６０３２号公報
【発明の概要】
【発明が解決しようとする課題】
【０００６】
直管形ＬＥＤランプは、熱膨張により長さが変動する。特に、長さ約８フィートの直管形ＬＥＤランプにおいては、軽量化のために本体部の材料として合成樹脂（例えばポリカーボネート）が用いられることが多く、この場合、想定される温度範囲内で長さが最大±３ｍｍ変動する。従って、上記のような熱膨張により、ソケットが破損する可能性があった。
【０００７】
本発明は、上記事由に鑑みて為されたものであり、その目的は、直管形ＬＥＤランプの熱膨張によるソケットの破損が防止される照明器具を提供することにある。
【課題を解決するための手段】
【０００８】
本発明の照明器具は、複数個の発光ダイオードを保持した円柱形状の本体部の軸方向の両端にそれぞれ口金を有する直管形ＬＥＤランプが取り付けられる照明器具であって、それぞれ１個ずつの前記口金が接続される２個のソケットと、各前記ソケットをそれぞれ保持する器具本体とを備え、少なくとも一方の前記ソケットは、前記器具本体に対し、他方の前記ソケットとの間の距離を変化させる方向に変位可能とされていることを特徴とする。
【０００９】
上記の照明器具において、前記器具本体に対して固定され、一方の前記ソケットを、他方の前記ソケットとの間の距離を変化させる方向に変位可能に保持するホルダを備えてもよい。
【発明の効果】
【００１０】
本発明によれば、温度変化による本体部の伸縮が、器具本体に対するソケットの変位によって吸収されるから、熱膨張によるソケットの破損が防止される。
【図面の簡単な説明】
【００１１】
【図１】（ａ）（ｂ）はそれぞれ本発明の実施形態の要部を示し、（ａ）は一部破断した正面図、（ｂ）は抜け止めが外された状態を示す右側面図である。
【図２】同上に接続される直管形ＬＥＤランプを示す斜視図である。
【図３】同上に直管形ＬＥＤランプが接続された状態を示す斜視図である。
【図４】（ａ）（ｂ）はそれぞれ同上の変更例の要部を示す一部破断した正面図であり、（ａ）（ｂ）はソケットの位置が互いに異なる状態を示す。
【図５】（ａ）〜（ｃ）はそれぞれ図４の例におけるソケット台を示し、（ａ）は一部破断した正面図、（ｂ）は下面図、（ｃ）は右側面図である。
【発明を実施するための形態】
【００１２】
以下、本発明を実施するための最良の形態について、図面を参照しながら説明する。
【００１３】
まず、図２及び図３を用いて、直管形ＬＥＤランプ２及び照明器具１の基本構成を説明する。
【００１４】
直管形ＬＥＤランプ２は、図２に示すように、複数個の発光ダイオード（図示せず）を保持した円柱形状の本体部２０と、本体部２０の軸方向の両端にそれぞれ設けられた口金２１とを有する。本体部２０には、上記の発光ダイオードが軸方向に直線状に並べて実装された基板（図示せず）が収納及び保持されている。また、本体部２０の少なくとも一部は、上記の発光ダイオードの光を出射させるように、透光性を有する材料（例えばポリカーボネート）で構成されている。さらに、一方（図２での左側）の口金２１には、上記の発光ダイオードが構成する直列回路の一端ずつに電気的に接続された給電端子２２が、軸方向の外側（本体部２０とは逆側であり、図２では左側）に突設されている。また、他方（図２での右側）の口金２１には、上記の基板において接地されるべき部位に電気的に接続された接地端子２３が、軸方向の外側（本体部２０とは逆側であり、図２では右側）に突設されている。
【００１５】
そして、図３に示すように、照明器具１は、それぞれ１個ずつの口金２１が接続される２個のソケット３と、各ソケット３をそれぞれ保持する器具本体４とを備える。また、図３には、板ばねからなり器具本体４に固定されて本体部２０を径方向の両側から弾性的に挟持するクリップ状の保持ばね１１も示されている。ソケット３のうち、給電端子２２を有する口金２１が接続されるものは、給電端子２２に一対一に接触導通する給電接触子（図示せず）を有する。各給電接触子は、それぞれ、各発光ダイオードを点灯させる直流電力を出力する電源（図示せず）に電気的に接続される。また、ソケット３のうち、接地端子２３を有する口金２１が接続されるものは、接地端子２３に接触導通する接地接触子（図示せず）を有する。
【００１６】
以下、本実施形態の特徴部分について説明する。
【００１７】
本実施形態は、図１（ａ）に示すように、器具本体４に対して固定され、一方のソケット３を、器具本体４に対し、他方のソケット３との間の距離を変化させる方向（図１（ａ）での左右方向）に変位可能に保持するホルダ５を備える。すなわち、上記他方のソケット３に近付く方向を右方向と呼ぶ。
【００１８】
以下、上下左右は図１（ａ）を基準とし、図１（ｂ）での左右方向を前後方向と呼ぶ。
【００１９】
ソケット３は、ホルダ５に対して左右方向に変位可能に保持されたソケット本体３１を有する。ソケット本体３１の下端部には、軸方向を左右方向に向けた円筒形状の筒凸部３１１が右方に突設されている。また、ソケット３は、筒凸部３１１に嵌め込まれてソケット本体３１に対して筒凸部３１１の中心軸周りに回転可能な回転体３２を備える。筒凸部３１１の下端部と回転体３２とにはそれぞれ上下方向と右方とに開放された開口３１０，３２０が設けられている。上記のソケット３は、一対の給電端子２２を有する口金２１が接続されるものであり、給電端子２２に一対一に接触導通する接触子（図示せず）を有する。ソケット３に口金２１を接続する際には、上記の開口３１０，３２０が互いに連通した状態で、本体部２０の軸方向を左右方向に向け、一対の給電端子２２が上下に並ぶ向きで、各給電端子をそれぞれ下方から開口３１０，３２０内に導入する。その後、直管形ＬＥＤランプ２を回転体３２とともに本体部２０の中心軸回りに約９０°回転させると、直管形ＬＥＤランプ２の脱落が回転体３２により阻止されるとともに、各給電端子２２がそれぞれソケット３内の接触子に接触導通する。また、ソケット３は、筒凸部３１１よりもさらに右方に突出した端子台３３を上端部に有する。端子台３３の右面には２個の電線挿入口３３１が前後（図１（ｂ）での左右）に並べて設けられており、端子台３３には電線挿入口３３１から挿入された電線１２が接続される周知の速結端子（図示せず）が収納されている。各速結端子はそれぞれ接触子を介して１個ずつの給電端子２２に電気的に接続される。すなわち、直管形ＬＥＤランプ２の各発光ダイオードは、上記の電線１２と速結端子と給電端子２２とを介して電源回路（図示せず）から給電されることで点灯する。上記の電源回路は例えば外部の交流電源から供給された交流電力を直流電力に変換するＡＣ−ＤＣコンバータからなる。上記のような電源回路は器具本体４に保持されていてもよいし、器具本体４から分離されたケース（図示せず）に収納されていてもよい。上記のような電源回路は周知技術で実現可能であるので、詳細な図示並びに説明は省略する。
【００２０】
ホルダ５は、ソケット３が収納される収納凹部５０が右方に開口したホルダ本体５１と、ホルダ本体５１の上端部の右側に結合した抜け止め５２とを備える。ホルダ本体５１と抜け止め５２とはそれぞれ例えば合成樹脂からなる。抜け止め５２は、ソケット３の上端部（端子台３３）の右側に位置することで、収納凹部５０から右方へのソケット３の脱落を防止する。ホルダ本体５１に対して抜け止め５２を結合させる手段としては、凹凸係合や溶着やねじ止めといった周知の手段を用いることができる。さらに、ホルダ５の上端部の左右両面には、それぞれ、前後方向に開放された取付溝５３が設けられている。そして、各取付溝５３にそれぞれ器具本体４の一部が挿入されることで、ホルダ５は器具本体４に固定される。
【００２１】
また、右方から見たソケット３の輪郭は、収納凹部５０の輪郭と略同じ形状とされている。そして、右方から見た外周面を収納凹部５０の内周面上に摺動させることで、ソケット３はホルダ５に対して左右方向に平行移動可能とされている。また、収納凹部５０内において前後に対向する内面の上端部には、それぞれ左右に長い凸条５４が内向きに突設されている。さらに、ソケット３の前後両面の上端部には、それぞれ左右両側に開放されて上記の凸条５４が挿入される溝３４が設けられている。
【００２２】
さらに、収納凹部５０の底面とソケット３との間には、板ばねからなりソケット３を右方に付勢する復帰ばね６が介装されている。
【００２３】
上記構成によれば、温度変化により本体部２０が伸縮した場合であっても、口金２１はソケット３とともに器具本体４（及びホルダ５）に対して左右方向に変位可能である。すなわち、温度変化による本体部２０の伸縮が、ソケット３の変位によって吸収されるから、熱膨張による破損が防止される。
【００２４】
なお、上記のようなホルダ５を設けず、図４に示すようにソケット３を直接に器具本体４に対して変位可能に取り付けてもよい。図４の例では、復帰ばね６は器具本体４とソケット３との間に介装されている。また、器具本体４は、天井面に対して固定されるベース４１と、ベース４１に結合してソケット３を保持するソケット台４２とを有する。ベース４１とソケット台４２とはそれぞれ例えば金属板からなる。ベース４１とソケット台４２とを互いに結合させる手段としては、カシメやねじ止めといった周知の手段を適宜用いることができる。図４には、ソケット台４２に固定されて反射板（図示せず）を支持する金具１３も示されている。また、図５に示すように、ソケット台４２は、ソケット３の上端部が挿通される貫通穴であるソケット穴４２０を有する。ソケット穴４２０の右端部はソケット３の上端部を挿通可能な寸法形状とされる一方、ソケット穴４２０の左端部の前後両側（図５（ｂ）における上下両側）には、それぞれ支持片４２１が前後方向の内向きに突設されている。ソケット３は、上端部の各溝３４にそれぞれ支持片４２１が挿入されることで、ソケット台４２に対して左右方向（つまり他方のソケット３との間の距離を変化させる方向）に変位可能に支持されている。
【００２５】
図４の例は、図１の例に比べ、ホルダ５が不要であることにより部品点数の削減が可能であるという利点がある。但し、図１の例は、ホルダ５の外形を従来のソケット３の外形と同じにすることで、図４の例に比べ、器具本体４として従来の照明器具と共通の部品を用いることができるという利点がある。
【００２６】
図１の例や図４の例において、給電端子２２を有する口金２１が接続されるソケット３に代えて、接地端子２３を有する口金２１が接続されるソケット３を器具本体４に対して変位可能としてもよい。または、両方のソケット３を器具本体４に対して変位可能としてもよい。
【００２７】
また、ソケット３を複数組設けて、複数本の直管形ＬＥＤランプ２を接続可能としてもよい。
【符号の説明】
【００２８】
１  照明器具
２  直管形ＬＥＤランプ
３  ソケット
４  器具本体
５  ホルダ
２０  本体部
２１  口金
【図１】
2014216258.tif 000003
【図２】
2014216258.tif 000004
【図３】
2014216258.tif 000005
【図４】
2014216258.tif 000006
【図５】
2014216258.tif 000007